(57)【要約】      （修正有）【課題】車の運転中に、後方の車に向けて「ありがとう」のメッセージを送る装置を装着し、運転者どうしのコミニュケーションを図ることができる光源組合せ装置を提供する。【解決手段】「Ｔｈａｎｋ  Ｙｏｕ」のＴｈａｎｋ部分だけ印刷し、Ｙｏｕの部分は印刷しないで透明になっているシール１を車のリヤウインドガラス外側に貼り付け、Ｙｏｕを簡略化したＵ字状にＬＥＤ６を配置したユニットを、シールの透明部３に合わせて、ガラスの内側へ取り付け、運転者がスイッチを入れるとＵ字のＬＥＤが点灯し、後方の車からは「Ｔｈａｎｋ  Ｕ」と見え、スイッチを切ると、Ｕ字のＬＥＤが消灯し、シールの「Ｔｈａｎｋ」しか見えない通常の状態になり、必要時にメッセージを送ることが可能となるよう構成する。【選択図】図５
0003150401.tif 000002
【実用新案登録請求の範囲】
【請求項１】
透明な板の片面に、図柄の一部分が透明にできているシールを取り付け、透明な板のシール取り付け反対面（裏側）に光源を取り付けて、光源から出た光が、シールの透明部を透過する状態にし、光源を入り、切りすることにより、シール面側から見た図柄や言葉などの意味が変化することを特徴とする、一部分透明シールと光源組み合わせ装置。
【考案の詳細な説明】
【技術分野】
【０００１】  本考案は、車のウインドガラスなどの透明板の片面に、一部分が透明にできているシールを取り付け、透明板のシール取り付け反対面（裏側）に光源を取り付けて、光源から出た光が、シールの透明部を透過する状態にし、光源を入り、切りすることにより、シール面側から見た場合、シールの図柄又は言葉などの意味が変化し、後方の車にメッセージを送るものである。
【背景技術】
【０００２】  車を運転していて道を譲ってもらったり、間に入れてもらった場合、後方の車に、「ありがとう」の意思を伝えたいと思っても、そのような装置が普及していないためハザードランプを使用する人が多いが、これは目的外使用になり、問題がある。
【考案の開示】
【考案が解決しようとする課題】
【０００３】  メッセージを送る装置を取り付ける場合、リヤウインドガラスの外側へは、厚みのある物や電気を利用した物などは、構造上、安全上、洗車時等問題が多く、実用的ではない。【０００４】  最近の車はスモークガラスが多く、車内に取り付けた物は、車外から見えにくい。【０００５】  光を利用した物を、車外に向けて車内に取り付ける場合、スモークガラスを透過して更に昼間の明るいところでも見えるものでなければならない。
【課題を解決するための手段】
【０００６】  車のリヤウインドガラス外側に、「Ｔｈａｎｋ」の字が印刷してあり「Ｙｏｕ」の部分は字を印刷せず透明になっているシールを貼り付け、リヤウインドガラスの内側には、「Ｙｏｕ」を簡略化し「Ｕ」の形にＬＥＤを配置した光源装置を後方に向け、シールの透明部分に合わせて取り付け、シガライター部から電気を取り、運転席近くに取り付けたスイッチを入れることにより、「Ｕ」が点灯し、後方の車からは「Ｔｈａｎｋ  Ｕ」の状態が見え、スイッチを切ると、「Ｕ」が消えて、「Ｔｈａｎｋ」だけとなり、「ありがとう」の意味の表示では無くなる。
【考案の効果】
【０００７】  車の運転中、「ありがとう」の意思を後方の車に伝えたい時、本案の装置を使用すれば、それが可能となり、車社会での「譲り合い」「ふれあい」など、精神的な癒しとなり、ひいては安全運転に効果がある。
【考案を実施するための最良の形態】
【０００８】  「Ｔｈａｎｋ  Ｙｏｕ」の言葉全体をＬＥＤで表示すると、装置が大きくなりコスト面、取り付け方法、構造基準などの問題があるため、本案では「Ｔｈａｎｋ」の文字をシールに印刷してリヤウインドガラスの外側に貼り付け、「Ｙｏｕ」の部分はコンパクトにするため、簡略化した「Ｕ」字状にＬＥＤを配置したユニットを、後方に向けてリヤウインドガラスの内側に取り付け、「Ｕ」字の光はリヤウインドガラスとシール透明部を透過して、後方から見えるようになっている。【０００９】  リヤウインドガラスの角度は、車によって様々であり、リヤウインドガラスの外側に貼り付けるシールは、角度が変わっても趣旨の伝達は可能であるが、リヤウインドガラスの内側へ取り付けるＬＥＤは、様々な角度のリヤウインドガラスに対応し、光軸を水平に設定しなければ後方の車から光が見えにくくなるため、ＬＥＤケースの取り付け部は、アルミの板で構成され、手で折り曲げて角度設定ができる構造になっている。
【実施例】
【００１０】  以下、添付図面に従って一実施例を説明する。  １は耐久性のある色付きシール本体で、裏面に糊が付いていてリヤウインドガラスの外側に貼り付ける。２はシールに印刷した文字、３はシールの透明部分、４はＬＥＤケース、５は基板、６はＵ字状に配置した１０個のＬＥＤ、７は車のリヤウインドガラスの断面、８は両面テープで取り付けるアルミ板製のＬＥＤケース取り付け金物、９は車のシガライターソケットから電源を取り出すプラグ、１０は運転席近くに取り付けるスイッチ、１１はプラグとスイッチ間をつなぐコード、１２はスイッチと基板間をつなぐコードで構成されている。【００１１】  図５は６のＬＥＤを点灯した時のシール側から見える状態の図で、「Ｔｈａｎｋ  Ｕ」となっているが、ＬＥＤを消灯した時は図１の如くＵが見えなく、「Ｔｈａｎｋ」だけが見える状態である。
【図１】
0003150401.tif 000003
【図２】
0003150401.tif 000004
【図３】
0003150401.tif 000005
【図４】
0003150401.tif 000006
【図５】
0003150401.tif 000007
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
透明な板の片面に、言葉の一部分を印刷して残りの言葉の部分は印刷しないで透明にしてあるシールを取り付け、透明な板のシール取り付け反対面（裏側）にＬＥＤを文字状に配置したユニットをシールの透明部に合わせて設置し、シール面側から見た場合、ＬＥＤを点灯した状態では、シールの文字とＬＥＤの文字がならんで見えるので、言葉として見え、ＬＥＤを消灯すると、シール面側から見た場合、ＬＥＤの文字は見えなくなりシールの文字だけが見える状態となり、完成された言葉の表示とならないような、ＬＥＤなど文字状にセットした光源から出た光を、シールの透明部を透過する状態にし、ＬＥＤなどの光源を点灯したときと消灯したときに、シール面側から見た言葉などの意味が異なることを特徴とする、一部分透明シールと文字状光源の組み合わせ装置。
【手続補正２】
【補正対象書類名】明細書
【補正対象項目名】全文
【補正方法】変更
【補正の内容】
【考案の詳細な説明】
【技術分野】
【０００１】  本考案は、車のリヤウインドガラスの外面に、メッセージ文字の一部分が透明にできているシールを取り付け、リヤウインドガラスのシール取り付け反対面（車内側）に文字状光源を取り付け、文字状光源から出た光が、シールの透明部を透過する状態にし、文字状光源を点灯または消灯した時、後方の車から見ると言葉などの意味が異なる装置を装着し、必要時、文字状光源のスイッチを入り切りすることにより後方の車にメッセージを送るものである。
【背景技術】
【０００２】  車を運転していて道を譲ってもらったり、間に入れてもらった場合、後方の車に、「ありがとう」の意思を伝えたいと思っても、そのような装置がないためハザードランプを使用する人が多いが、これは目的外使用で、問題がある。
【考案の開示】
【考案が解決しようとする課題】
【０００３】  リヤウインドガラスの外側に、電気を利用したものや、厚みのあるような装置を取り付けることは、構造上、安全上、洗車時など問題が多く実用的ではない。【０００４】  最近は色付きガラスの車が多く、車内に取り付けたものは、車外から見えにくい。【０００５】  光を利用した物を、車外に向けて車内に取り付ける場合、色付きガラスを透過して更に昼間の明るいところでも見えるものでなければならない。
【課題を解決するための手段】
【０００６】  車のリヤウインドガラス外側に、「Ｔｈａｎｋ」の文字を印刷し［Ｙｏｕ」の部分は字を印刷せず透明になっているシールを貼り付け、リヤウインドガラスの内側には、「Ｙｏｕ」を簡略化し「Ｕ」の形にＬＥＤを配置した光源装置を後方に向け、シールの透明部分に合わせて取り付け、シガライター部から電気を取り、運転席近くに取り付けたスイッチを入れることにより、「Ｕ」が点灯し、後方の車からは「Ｔｈａｎｋ  Ｕ」の状態に見え、スイッチを切ると、「Ｕ」が消えて、シールに印刷してある「Ｔｈａｎｋ」だけが見えて「ありがとう」の意味の表示では無くなる。
【考案の効果】
【０００７】  車の運転中、「ありがとう」の意思を後方の車に伝えたい時、本案の装置を使用すれば、それが可能となり、車社会での「譲り合い」「ふれあい」など、精神的な癒しとなり、ひいては安全運転に効果がある。
【考案を実施するための最良の形態】
【０００８】  「Ｔｈａｎｋ  Ｙｏｕ」の言葉全体をＬＥＤで表示すると、装置が大きくなりコスト面、取り付け方法、構造基準などの問題があるため、本案では「Ｔｈａｎｋ」の文字をシールに印刷してリヤウインドガラスの外側に貼り付け、「Ｙｏｕ」の部分はコンパクトにするため、簡略化した「Ｕ」字状にＬＥＤを配置したユニットを、後方に向けてリヤウインドガラスの内側に取り付け、「Ｕ」字の光はリヤウインドガラスとシール透明部を透過して、後方から見えるようになっている。【０００９】  リヤウインドガラスの角度は、車によって様々であり、リヤウインドガラスの外側に貼り付けるシールは、角度が変わっても趣旨の伝達は可能であるが、リヤウインドガラスの内側へ取り付けるＬＥＤは、様々な角度のリヤウインドガラスに対応し、光軸を水平に設定しなければ後方の車から光が見えにくくなるため、ＬＥＤケースの取り付け部は、アルミの板で構成され、手で折り曲げて角度設定ができる構造になっている。
【実施例】
【００１０】  以下、添付図面に従って一実施例を説明する。  １は耐久性のある色付きシール本体で、裏面に糊が付いていてリヤウインドガラスの外側に貼り付ける。２はシールに印刷した文字、３はシールの透明部分、４はＬＥＤケース、５は基板、６はＵ字状に配置した１０個のＬＥＤ、７は車のリヤウインドガラスの断面、８は両面テープで取り付けるアルミ板製のＬＥＤケース取り付け金物、９は車のシガライターソケットから電源を取り出すプラグ、１０は運転席近くに取り付けるスイッチ、１１はプラグとスイッチ間をつなぐコード、１２はスイッチと基板間をつなぐコードで構成されている。【００１１】  図５は６のＬＥＤを点灯した時のシール側から見える状態の図で、「Ｔｈａｎｋ  Ｕ」となっているが、ＬＥＤを消灯した時は図１の如くＵが見えなく、「Ｔｈａｎｋ」だけが見える状態である。
【図面の簡単な説明】
【００１２】
【図１】  本考案の一部分透明シールと光源組み合わせ装置の一実施例を示すシール正面図である。
【図２】  ＬＥＤケースの正面図である。
【図３】  ＬＥＤケースの断面図である。
【図４】  本考案の組み立て系統図である。
【図５】  ＬＥＤ点灯時シール面からみたシール正面図である。
【符号の説明】
【００１３】  １  シール本体
２  印刷文字
３  透明部分
４  ＬＥＤケース
５  基板
６  ＬＥＤ
７  車のリヤウインドガラス
８  ＬＥＤケース取り付け金物
９  プラグ
１０  スイッチ
１１  コードａ
１２  コードｂ